(57)【特許請求の範囲】
【請求項１】
設置面に設置された複数の支柱と、
前記支柱の間に配設されたフェンス面板と、
前記フェンス面板の上方において、前記支柱の間に配設された上部支持部材と、
前記上部支持部材と前記フェンス面板とを所定以上の力が加わった時に切り離し可能に連結する上部連結部材と、
一端部が前記フェンス面板の下部に配設され、他端部が設置面に設置されて、前記フェンス面板を支持し、屈曲可能とされた下部支持部材と
を備えたことを特徴とするフェンス。
【請求項２】
前記下部支持部材は、前記フェンス面板側のフェンス面板側部材と、設置面側の設置面側部材とに分割されており、これらフェンス面板側部材と設置面側部材とを跨ぐように弾性体よりなる弾性部材が配設されたことを特徴とする請求項１記載のフェンス。
【請求項３】
前記フェンス面板側部材と前記設置面側部材との対向部分は、互いに異なる極よりなる磁石によりそれぞれ構成され、前記弾性部材はばねにより構成されたことを特徴とする請求項２記載のフェンス。
【請求項４】
前記上部連結部材は、支柱、フェンス面板、及び、上部支持部材よりも強度が弱いばねにより構成されたことを特徴とする請求項１から請求項３のいずれか１に記載のフェンス。
【請求項５】
前記支柱の少なくとも一部を覆うように、外側に向かいくの字状に突出する突出部を有する雪除部材を備えたことを特徴とする請求項１から請求項４のいずれか１に記載のフェンス。
【発明の詳細な説明】
【技術分野】
【０００１】
本発明は、積雪地域に適したフェンスに関する。
【背景技術】
【０００２】
積雪地域では、除雪作業時にフェンスに力が加わり、フェンス面板が曲がったり、それを支える支柱が曲がってしまうことがある。そのため、２、３年に１回の頻度で、フェンスを修理しなければならない。しかしながら、従来のフェンスは、専門の業者でなければ修理することが難しく、手間と費用がかかるという問題があった。そこで、より簡単に安価な費用で修理することができるフェンスの開発が求められていた。
【先行技術文献】
【特許文献】
【０００３】
【特許文献１】特開２００１−２７９６１７号公報
【発明の概要】
【発明が解決しようとする課題】
【０００４】
本発明は、このような問題に基づきなされたものであり、簡単かつ安価に修理をすることができるフェンスを提供することを目的とする。
【０００５】
なお、特許文献１には、縦線材をフェンス長手方向に非直線に配設し、縦線材を横線材により連結し、縦線材の下端部を土壌に貫入させるフェンスが記載されている。このフェンスは、強度を向上させることにより、積雪荷重でフェンスが破損することを防止するものである。しかしながら、本願発明は、雪圧から支柱及びフェンス面板を守り、簡単に修理することができるようにするものであり、基本的な考え方、及び、具体的な構成が全く異なっている。
【課題を解決するための手段】
【０００６】
本発明のフェンスは、設置面に設置された複数の支柱と、支柱の間に配設されたフェンス面板と、フェンス面板の上方において、支柱の間に配設された上部支持部材と、上部支持部材とフェンス面板とを所定以上の力が加わった時に切り離し可能に連結する上部連結部材と、一端部がフェンス面板の下部に配設され、他端部が設置面に設置されて、フェンス面板を支持し、屈曲可能とされたものである。
【発明の効果】
【０００７】
本発明によれば、上部連結部材により、上部支持部材とフェンス面板とを所定以上の力が加わった時に切り離し可能に連結すると共に、下部支持部材によりフェンス面板を支持し、下部支持部材を屈曲可能としたので、雪圧等によりフェンス面板に所定以上の力が加わると、フェンス面板は上部支持部材から切り離され、下部支持部材が屈曲してフェンス面板を倒すことができる。よって、除雪作業等によりフェンス面板に力が加わっても、フェンス面板又は支柱が屈曲する前に、フェンス面板が上部支持部材から切り離されて、フェンス面板又は支柱が屈曲することを抑制することができる。従って、雪が解けた後に、フェンス面板を上部支持部材に連結しなおすことにより、簡単かつ安価に修理を行うことができ、専門の業者でなくても修繕することができる。
【０００８】
特に、下部支持部材をフェンス面板側部材と、設置面側部材とに分割し、これらフェンス面板側部材と設置面側部材とを跨ぐように弾性部材を配設するようにすれば、更に、フェンス面板側部材と設置面側部材との対向部分を互いに異なる極よりなる磁石によりそれぞれ構成し、弾性部材をばねにより構成するようにすれば、簡単な構成で高い効果を得ることができる。
【０００９】
また、上部連結部材を、支柱、フェンス面板、及び、上部支持部材よりも強度が弱いばねにより構成するようにすれば、簡単な構成で高い効果を得ることができる。
【００１０】
更に、支柱の少なくとも一部を覆うように雪除部材を配設するようにすれば、支柱の破損を更に抑制することができる。
【図面の簡単な説明】
【００１１】
【図１】本発明の一実施の形態に係るフェンスの構成を表す図である。
【図２】図１に示した下部支持部材の構成を表す図である。
【図３】図１に示した支柱の構成を表す図である。
【発明を実施するための形態】
【００１２】
以下、本発明の実施の形態について、図面を参照して詳細に説明する。
【００１３】
図１は、本発明の一実施の形態に係るフェンス１０の構成を表すものである。図２及び図３は、図１に示したフェンス１０の一部を拡大して表すものである。このフェンス１０は、例えば、積雪地域に適したものであり、地面等の設置面２０に間隔をあけて設置された複数の支柱１１と、隣接する各支柱１１の間に配設されたフェンス面板１２とを備えている。支柱１１は、例えば、設置面２０に一部を埋設して設置されている。フェンス面板１２は、例えば、間隔をあけて設けられた複数の縦桟１２Ａと、上端部及び下端部に設けられた一対の横桟１２Ｂと、これら縦桟１２Ａ及び横桟１２Ｂにより囲まれた部分に設けられた面状部材１２Ｃとを有している。
【００１４】
縦桟１２Ａは、例えば、カーボンファイバー等の軽く強度もある部材により構成することが好ましい。軽量化するためである。横桟１２Ｂは、例えば、カーボンファイバー等の軽く強度もある部材により構成することが好ましい。軽量化するためである。面状部材１２Ｃは、例えば、カーボンファイバー等の軽く強度もある部材を網状又はメッシュ状としたものや、又は、ポリカーボネート等のプラスチック製の薄板に複数の孔を開けたものにより構成することが好ましい。軽量化するためである。なお、縦桟１２Ａには、例えば、面状部材１２Ｃを挿入するための溝（図示せず）を縦方向に設け、面状部材１２Ｃを差し込み式で配設することができるようにすることが好ましい。形状が変わっても効果としては、完成品の面状部材１２Ｃの色や素材を交換することにより、祝い（晴れ）の日のフェンスや建物の建替後のイメージに合わせて変えることができるからである。
【００１５】
フェンス面板１２の上方には、隣接する各支柱１１の間を連結するように上部支持部材１３が配設されている。この上部支持部材１３は、フェンス面板１２を吊り下げて支持するためのものである。上部支持部材１３は、例えば、ワイヤーにより構成することが好ましい。破損した場合に簡単に交換することができる上に、張りを調整することができ、車などが衝突した時に力を分散させることができるからである。支柱１１の上部には、例えば、ワイヤーよりなる上部支持部材１３を巻き付けて固定する窪部１１Ａが設けられることが好ましい。また、上部支持部材１３には、例えば、付着した雪を落下させるための雪落部材（図示せず）を配設するようにすることが好ましい。この雪落部材（図示せず）は、例えば、上に向かって突出するように山形に形成されたものである。
【００１６】
フェンス面板１２と上部支持部材１３とは、上部連結部材１４により連結されている。上部連結部材１４は、例えば、所定以上の力が加わった時に、上部支持部材１３とフェンス面板１２との連結を切り離すことができるように構成されている。上部連結部材１４は、例えば、支柱１１、フェンス面板１２、及び、上部支持部材１３よりも強度が弱いばねにより構成されることが好ましい。これにより、フェンス面板１２に所定以上に力が加わった時に、支柱１１、フェンス面板１２、及び、上部支持部材１３が破損する前に、上部連結部材１４が破断して、上部支持部材１３とフェンス面板１２とが切り離され、支柱１１、フェンス面板１２、及び、上部支持部材１３の破損が抑制されるようになっている。上部連結部材１４は、間隔をあけて複数設けられていることが好ましい。
【００１７】
フェンス面板１２と支柱１１とは、例えば、側部連結部材１５により連結されていることが好ましい。側部連結部材１５は、例えば、上部連結部材１４と同様に、所定以上の力が加わった時に、支柱１１とフェンス面板１２との連結を切り離すことができるように構成されていることが好ましい。側部連結部材１５は、例えば、上部連結部材１４と同様に、支柱１１、フェンス面板１２、及び、上部支持部材１３よりも強度が弱いばねにより構成されることが好ましい。側部連結部材１５は、間隔をあけて複数設けられていることが好ましい。
【００１８】
フェンス面板１２の下方には、図１及び図２に示したように、一端部がフェンス面板１２の下部に配設され、他端部が設置面２０に設置されて、フェンス面板１２を支持する下部支持部材１６が設けられている。下部支持部材１６は、屈曲可能とされていることが好ましい。例えば、下部支持部材１６は、フェンス面板１２の側のフェンス面板側部材１６Ａと、設置面２０の側の設置面側部材１６Ｂとに分割されており、これらフェンス面板側部材１６Ａと設置面側部材１６Ｂとを跨ぐように弾性体よりなる弾性部材１６Ｃが配設された構成を有することが好ましい。なお、図２では、弾性部材１６Ｃを断面で表している。
【００１９】
フェンス面板側部材１６Ａは、例えば、各縦桟１２Ａに個別に対応して、各縦桟１２Ａの下部に配設されていることが好ましい。設置面側部材１６Ｂは、例えば、各フェンス面板側部材１６Ａに個別に対応して、一部を設置面２０に埋設して配設されていることが好ましい。フェンス面板側部材１６Ａと設置面側部材１６Ｂとの対向部分は、互いに異なる極よりなる磁石１６Ｄによりそれぞれ構成されることが好ましい。磁石１６Ｄは、例えば、電磁石により構成されることが好ましい。具体的には、例えば、磁石１６Ｄは、鋼管等よりなる基端部１６Ｄ１の先端に鉄等よりなる先端部１６Ｄ２が設けられ、基端部１６Ｄ１の周囲にコイル１６Ｄ３が配設された構成を有していることが好ましい。なお、図２では、コイル１６Ｄ３を断面で表している。また、先端部１６Ｄ２の先端形状は、例えば、図２（Ｂ）、（Ｃ）に示したように、設置面側部材１６Ｂについては上に向かって突出した曲面状とし、フェンス面板側部材１６Ａについては、設置面側部材１６Ｂの先端部１６Ｄ２の先端形状に対応した凹状とされることが好ましい。下部支持部材１６を滑らかに屈曲させることができるからである。
【００２０】
弾性部材１６Ｃは、例えば、コイル状のばねにより構成されることが好ましく、フェンス面板側部材１６Ａと設置面側部材１６Ｂとを跨ぐように、これらの周囲の少なくとも一部に配設されることが好ましい。フェンス面板側部材１６Ａ及び設置面側部材１６Ｂの外周部には、例えば、外側に突出して設けられた一対の係止部１６Ｅが設けられており、弾性部材１６Ｃは、この一対の係止部１６Ｅに端部を係止してその間に配設されている。
【００２１】
また、フェンス１０は、例えば、図３に示したように、支柱１１の少なくとも一部を覆うように、外側に向かいくの字状に突出する突出部を有する雪除部材１７を備えていることが好ましい。支柱１１の破損を抑制することができるからである。雪除部材１７は、例えば、支柱１１に隣接して、一部を設置面２０に埋設して配設されている。雪除部材１７は、フェンス面板１２の一面側のみに設置するようにしてもよいが、両面側共に設置するようにしてもよい。
【００２２】
このフェンス１０では、例えば、除雪作業等によりフェンス面板１２に所定以上の力が加わると、支柱１１、フェンス面板１２、及び、上部支持部材１３が屈曲する前に、上部連結部材１４及び側部連結部材１５が破断して、フェンス面板１が支柱１１及び上部支持部材１３から切り離される。また、例えば、下部支持部材１６は、力が加えられた方向に屈曲し、フェンス面板１２が倒れる。これにより、支柱１１、フェンス面板１２、及び、上部支持部材１３が破損することが抑制される。
【００２３】
このように本実施の形態によれば、上部連結部材１４により、上部支持部材１３とフェンス面板１２とを所定以上の力が加わった時に切り離し可能に連結すると共に、下部支持部材１６によりフェンス面板１２を支持し、下部支持部材１６を屈曲可能としたので、雪圧等によりフェンス面板１２に所定以上の力が加わると、フェンス面板１２は上部支持部材１３から切り離され、下部支持部材１６が屈曲してフェンス面板１２を倒すことができる。よって、除雪作業等によりフェンス面板１２に力が加わっても、フェンス面板１２又は支柱１１が屈曲する前に、フェンス面板１２が上部支持部材１３から切り離されて、フェンス面板１２又は支柱１１が屈曲することを抑制することができる。従って、雪が解けた後に、フェンス面板１２を上部支持部材１３に連結しなおすことにより、簡単かつ安価に修理を行うことができ。専門の業者でなくても修繕することができる。
【００２４】
特に、下部支持部材１６をフェンス面板側部材１６Ａと、設置面側部材１６Ｂとに分割し、これらフェンス面板側部材１６Ａと設置面側部材１６Ｂとを跨ぐように弾性部材１６Ｃを配設するようにすれば、更に、フェンス面板側部材１６Ａと設置面側部材１６Ｂとの対向部分を互いに異なる極よりなる磁石１６Ｄによりそれぞれ構成し、弾性部材１６Ｃをばねにより構成するようにすれば、簡単な構成で高い効果を得ることができる。
【００２５】
また、上部連結部材１４を、支柱１１、フェンス面板１２、及び、上部支持部材１３よりも強度が弱いばねにより構成するようにすれば、簡単な構成で高い効果を得ることができる。
【００２６】
更に、支柱１１の少なくとも一部を覆うように雪除部材１７を配設するようにすれば、支柱１１の破損を更に抑制することができる。
【００２７】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構造を有するように構成してもよい。
【産業上の利用可能性】
【００２８】
積雪地域のフェンスに用いることができる。
【符号の説明】
【００２９】
１０…フェンス、１１…支柱、１１Ａ…窪部、１２…フェンス面板、１２Ａ…縦桟、１２Ｂ…横桟、１２Ｃ…面状部材、１３…上部支持部材、１４…上部連結部材、１５…側部連結部材、１６…下部支持部材、１６Ａ…フェンス面板側部材、１６Ｂ…設置面側部材、１６Ｃ…弾性部材、１６Ｄ…磁石、１６Ｄ１…基端部、１６Ｄ２…先端部、１６Ｄ３…コイル、１６Ｅ…係止部、１７…雪除部材、２０…設置面
【図１】
0006578168.tif 000002
【図２】
0006578168.tif 000003
【図３】
0006578168.tif 000004